(57)【要約】【課題】送信機チャンネル合わせ作業が誰でも極めて簡単に行うことのできるワイヤレスマイクロホン・システムを提供する。【解決手段】２種類以上の送信チャンネルを有する送信機２を備えるワイヤレスマイクロホン・システムにおいて、受信機１には、受信チャンネルのデータを送信する受信チャンネルデータ送信回路１１を設け、送信機２には、受信機１の受信チャンネルデータ送信回路１１からの受信チャンネルデータを受信して、その受信チャンネルに送信チャンネルを設定するチャンネルデータ受信・設定回路２１を設ける。両回路１１，２１を、例えば充電用アダプタ４を利用して接続するだけで、送信機２１の送信チャンネルを受信機１の受信チャンネルに合わされる構成にした。【選択図】        図１
2004207866.tif 000002
【特許請求の範囲】
【請求項１】
１種類又は２種類以上の受信チャンネルを有する受信機と、２種類以上の送信チャンネルを有する送信機とを備えてなるワイヤレスマイクロホン・システムにおいて、
前記受信機は、設定されている受信チャンネルのデータを送信する受信チャンネルデータ送信回路を備え、
前記送信機は、前記受信機の受信チャンネルデータ送信回路からの受信チャンネルデータを受信して、その受信チャンネルに送信チャンネルを設定するチャンネルデータ受信・設定回路を備え、
このチャンネルデータ受信・設定回路を前記受信チャンネルデータ送信回路に接続することにより、前記送信機の送信チャンネルが前記受信機の受信チャンネルに合わされることを特徴とするワイヤレスマイクロホン・システム。
【請求項２】
請求項１に記載のワイヤレスマイクロホン・システムにおいて、
受信機は、送信機を載置又は挿着することにより、二次電池を用いた送信機電源を充電可能の充電用アダプタを備え、
この充電用アダプタ及び送信機には、前記送信機電源充電用の接触端子に加えて、送信機のチャンネルデータ受信・設定回路を受信機のチャンネルデータ送信回路に接続するためのデータ通信用接触端子を備え、
前記充電用アダプタに送信機を載置又は挿着した時に、送信機の送信チャンネルが受信機の受信チャンネルに合わされることを特徴とするワイヤレスマイクロホン・システム。
【請求項３】
請求項２に記載のワイヤレスマイクロホン・システムにおいて、
充電用アダプタに送信機を載置又は挿着することにより、受信機の受信チャンネルデータ送信回路からの受信チャンネルデータの受信及びその受信チャンネルへの送信チャンネルの設定に係わる回路の駆動電源が送信機電源充電用の接触端子から与えられ、その送信チャンネルが受信機の受信チャンネルに合わされることを特徴とするワイヤレスマイクロホン・システム。
【発明の詳細な説明】
【０００１】
【発明の属する技術分野】
本発明は、複数種の送信チャンネル（送信周波数）の中から、受信機のチャンネル（受信周波数）に合わせたチャンネル（周波数）を選定して使用可能なワイヤレスマイクロホン・システムに関するものである。
【０００２】
【従来の技術】
従来から、学校や会議場等のように、１つの建物内に又は隣接する建物間に跨って多数の部屋がある施設において、隣接する複数の部屋で同時にワイヤレスマイクロホン・システムを使用することがある。こうした環境において、各部屋で使用されるワイヤレスマイクロホン・システムの送受信チャンネルが同じであると混信を生じる。また、混信が生じなくとも、現在使用しているチャンネルではノイズが多い、あるいは大きいので他のチャンネルを使いたいということもある。
そこで最近では、送受信チャンネルを複数種備えたワイヤレスマイクロホン・システムが使用されることが多い。
【０００３】
ところで、複数〜多チャンネルのワイヤレスマイクロホン・システムでは、各部屋において、受信機は固定設置され、送信機（ワイヤレスマイクロホン）は移動可能に置かれることが多い。このため、ある部屋の送信機が隣室等、他の部屋に紛れ込んでしまうことがあり、送受信チャンネルが一致していない状態で使用されようとする場合がある。また、使用後に全ての送信機を一括保管することもあり、この場合、保管場所から持ち出した送信機のチャンネルが使用先に設置された受信機のチャンネルと一致しない場合がある。
【０００４】
このような場合、その部屋で使用される本来の送信機を探しだし、それと交換することで送受信チャンネルを一致させることも可能であるが、これでは著しく面倒である。そこで、送信機のチャンネルを使用者が任意に選択できるようにチャンネル切換スイッチを設けたものが出回っている（例えば、特許文献１参照）。
【０００５】
【特許文献１】
特開平４−３６１４３２号公報
【０００６】
【発明が解決しようとする課題】
しかしながらこのようなワイヤレスマイクロホン・システムであっても、使用の都度、送信機のチャンネルを受信機のチャンネルに合わせる（送信機チャンネル合わせ）作業は使用者にとって面倒であり、また作業中に隣室の受信機に信号が混入して、講義や会議を妨害することもあった。また、このような作業が全く苦手な使用者も少なくない。
いずれにしても、複数〜多チャンネルのワイヤレスマイクロホン・システムが複数〜多数の近接した部屋で使用される環境においては、送信機チャンネル合わせ作業が面倒であったり、あるいは混信が生じたりする等の問題が生じやすく、従来、これらの点の改善が要望されていた。
【０００７】
本発明は、上記のような要望に鑑みなされたもので、送信機チャンネル合わせ作業が誰でも極めて簡単に行うことができ、特に、送信機電源に二次電池を用いた充電タイプでは、充電用アダプタに載せて、あるいは挿着しておくだけ、つまり充電中に、また、充電が済んでいる場合には充電用アダプタに載せる、あるいは挿着するだけで、送信機チャンネル合わせができるワイヤレスマイクロホン・システムを提供することを目的とする。
【０００８】
【課題を解決するための手段】
上記目的を達成するために、請求項１に記載の発明は、１種類又は２種類以上の受信チャンネルを有する受信機と、２種類以上の送信チャンネルを有する送信機とを備えてなるワイヤレスマイクロホン・システムにおいて、前記受信機は、設定されている受信チャンネルのデータを送信する受信チャンネルデータ送信回路を備え、前記送信機は、前記受信機の受信チャンネルデータ送信回路からの受信チャンネルデータを受信して、その受信チャンネルに送信チャンネルを設定するチャンネルデータ受信・設定回路を備え、このチャンネルデータ受信・設定回路を前記受信チャンネルデータ送信回路に接続することにより、前記送信機の送信チャンネルが前記受信機の受信チャンネルに合わされることを特徴とする。
【０００９】
請求項２に記載の発明は、請求項１に記載のワイヤレスマイクロホン・システムにおいて、受信機は、送信機を載置又は挿着することにより、二次電池を用いた送信機電源を充電可能の充電用アダプタを備え、この充電用アダプタ及び送信機には、前記送信機電源充電用の接触端子に加えて、送信機のチャンネルデータ受信・設定回路を受信機のチャンネルデータ送信回路に接続するデータ通信用接触端子を備え、前記充電用アダプタに送信機を載置又は挿着した時に、送信機の送信チャンネルが受信機の受信チャンネルに合わされることを特徴とする。
【００１０】
請求項３に記載の発明は、請求項２に記載のワイヤレスマイクロホン・システムにおいて、充電用アダプタに送信機を載置又は挿着することにより、受信機の受信チャンネルデータ送信回路からの受信チャンネルデータの受信及びその受信チャンネルへの送信チャンネルの設定に係わる駆動電源が送信機電源充電用の接触端子から与えられ、その送信チャンネルが受信機の受信チャンネルに合わされることを特徴とする。
【００１１】
【発明の実施の形態】
以下、本発明の実施の形態を図面に基づき説明する。
図１は、本発明によるワイヤレスマイクロホン・システムの一実施形態の概略説明図である。
この図において、１は、１種類又は２種類以上の受信チャンネルを有する受信機であり、２種類以上の送信チャンネルを有する送信機２との間で、通常のワイヤレスマイクロホン・システムとして動作する。
すなわち、無線マイクとして用いられた送信機２に入力され、送信された音声信号（電波）３は、この送信機２から離れて設置された受信機１によって受信され、音声として出力される。このとき、送信機２の送信チャンネルと受信機１の受信チャンネルとが一致していることは勿論である。
この場合、受信機１は、設定されている受信チャンネルのデータ（受信チャンネル値）を読み出して送信する受信チャンネルデータ送信回路１１を備える。
また、送信機２は、受信機１の受信チャンネルデータ送信回路１１からの受信チャンネルデータを受信して、その受信チャンネルに自身の送信チャンネルを設定するチャンネルデータ受信・設定回路２１を備える。
そして、本ワイヤレスマイクロホン・システムにおいては、チャンネルデータ受信・設定回路２１が受信チャンネルデータ送信回路１１に接続されることにより、送信機２の送信チャンネルが受信機１の受信チャンネルに合わされるように構成されている。
【００１２】
これによると、人為的な作業は、送信機２を受信機１に接続（チャンネルデータ受信・設定回路２１を受信チャンネルデータ送信回路１１に接続）するだけである。すなわち、チャンネル切換スイッチをどこに合わせるかということではなく、上記接続を行うか否かだけであり、接続手段として、プラグとジャックのような着脱式の接続手段や、対をなす接触端子が接離自在に構成された接続手段等を用いることにより、誰でも極めて簡単に送信機チャンネル合わせを行うことができる。
【００１３】
図１に示す例では、送信機２に内蔵の駆動電源（送信機電源）に二次電池が用いられており、この送信機電源を充電可能の充電用アダプタ４が受信機１に備えられている。そこでこの例では、充電用アダプタ４を介して上記回路２１，１１の接続を行うように構成している。図示例では、充電用アダプタ４を送信機１とは別体に構成したが、一体に構成してもよい。
いずれにしても、充電用アダプタ４及び送信機２には、送信機電源の充電用接触端子（図示せず）が設けられ、充電用アダプタ４に送信機２を載置又は挿着、ここでは載置することにより、充電用アダプタ４と送信機２の駆動電源との間が上記充電用接触端子を通して接続される。すなわち、充電用アダプタ４と送信機電源間が通電可能となり、送信機電源の充電が行われる。
【００１４】
充電用アダプタ４及び送信機２には、送信機２のチャンネルデータ受信・設定回路２１を受信機１の受信チャンネルデータ送信回路１１に接続するためのデータ通信用接触端子（図示せず）も設けられている。そして、充電用アダプタ４に送信機２を載置することにより、上記回路２１，１１間が上記データ通信用接触端子を通して接続されるように構成されている。この回路２１，１１間の接続により同回路２１，１１間のデータ（信号）の授受が可能になり、送信機２の送信チャンネルが受信機１の受信チャンネルに合わされる。
【００１５】
この送信機チャンネル合わせ動作は、送信機電源の充電動作とは独立して行われる。すなわち送信機チャンネル合わせ動作は、充電用アダプタ４に送信機２１を載置するだけで即座に行われる。送信機電源の充電動作は、充電用アダプタ４に送信機２１が載置されることにより開始され、満充電されるまで続けられる。
したがって、送信機チャンネル合わせだけをする場合には、送信機２１を充電用アダプタ４に載置し、少しの時間を経てから、その送信機２１を充電用アダプタ４から取り出せばよい。
【００１６】
図２は、図１に示したワイヤレスマイクロホン・システムの一例を示すブロック図である。
図示するように、受信機１は、電源回路３１、受信回路３２、上記受信チャンネルデータ送信回路１１を有する周波数制御・通信回路３３及び充電回路３４を備えて構成されている。
この場合、電源回路３１は、ＡＣプラグ３５からの商用交流電源を所定電圧の直流電源に整流して受信機１内の各回路部に電源供給する回路である。
充電回路３４は、充電用アダプタ４の上記送信機電源の充電用接触端子（受信機側）Ｔ１，Ｔ２に直流出力＋，−を与える回路である。
【００１７】
受信回路３２は、受信アンテナ３６で受信された音声信号（電波）３を受信してスピーカＳＰから音声を出力させる回路である。
周波数制御・通信回路３３は、受信回路３２に受信チャンネルを設定すると共に、この設定した受信チャンネルのデータ（受信チャンネルデータ）を、所定の通信手順に従って送信機１（チャンネルデータ受信・設定回路２１）に送信する機能をもつ。
充電用アダプタ４には、送信機２の後述周波数制御・通信回路（チャンネルデータ受信・設定回路２１）を受信機１の周波数制御・通信回路３３（受信チャンネルデータ送信回路１１）に接続するためのデータ通信用接触端子Ｔ３（ＴＸＤ），Ｔ４（ＲＸＤ），Ｔ５（ＣＬＫ）が送信機載置面に露出形成されている。充電用接触端子（受信機側）Ｔ１，Ｔ２も送信機載置面に露出形成されている。
【００１８】
送信機２は、電源回路４１、送信回路４２、上記チャンネルデータ受信・設定回路２１を有する周波数制御・通信回路４３、二次電池からなる送信機電源４４及びダイオード４５〜４７を備えて構成されている。
この場合、電源回路４１は、送信機電源４４から直流電源が供給されて送信機２内の各回路部に電源供給する回路である。
送信機電源４４は、送信機１を充電用アダプタ４に載置したときに受信機１の充電回路３４で充電されるよう、上記充電用接触端子（受信機側）Ｔ１，Ｔ２に接触する充電用接触端子（送信機側）Ｔ１′，Ｔ２′に接続されている。
【００１９】
送信回路４２は、マイクロホンＭＩＣに入力された音声を音声信号（電波）３として送信アンテナ４８から出力する回路である。
周波数制御・通信回路４３は、受信機１の周波数制御・通信回路３３（受信チャンネルデータ送信回路１１）からの受信チャンネルデータを、所定の通信手順に従って受信して、その受信チャンネルに自身の送信チャンネルを設定する回路である。送信チャンネルの設定は、送信回路４２に対して行われる。
【００２０】
送信機２には、その周波数制御・通信回路４３（チャンネルデータ受信・設定回路２１）を受信機１の周波数制御・通信回路３３（受信チャンネルデータ送信回路１１）に接続するためのデータ通信用接触端子Ｔ３′（ＲＸＤ），Ｔ４′（ＴＸＤ），Ｔ５′（ＣＬＫ）が送信機底面（送信機筐体底面）に露出形成されている。充電用接触端子（送信機側）Ｔ１′，Ｔ２′も送信機底面に露出形成されている。なお、図中の矢印イ〜ホは、送信機１を充電用アダプタ４に載置したときに相互に接触、導通する接触端子の対応関係を示している。また、ＴＸＤはデータ送信側接触端子、ＲＸＤはデータ受信側接触端子、ＣＬＫは同期用クロック信号伝送接触端子であることを示している。
ダイオード４５は、送信機１を充電用アダプタ４に載置して、送信機チャンネル合わせをするときに、送信機１の電源スイッチ（図示せず）がＯＦＦになっていても最小限の回路電源が与えられ、送信機チャンネル合わせを可能とするためのダイオードである。ダイオード４６，４７は逆流阻止用のダイオードである。
【００２１】
次に動作について説明するが、ワイヤレスマイクロホン・システムとしての基本的な音声の送受信動作は従来技術と特に変わるところはないので、ここでは、送信機２の送信チャンネルを受信機１の受信チャンネルに合わす、送信機チャンネル合わせ動作について述べる。
いま、受信機１（受信回路３２）の受信チャンネルが、隣接する部屋の同様のワイヤレスマイクロホン・システムと混信しないチャンネルに設定されていることとする。
この状態で、送信機２を充電用アダプタ４に載置すると、送信機２の接触端子Ｔ１′〜Ｔ５′が矢印イ〜ホに示すように、充電用アダプタ４の対応する接触端子Ｔ１〜Ｔ５に各別に接触、導通する。
これにより、送信機２の電源スイッチ（図示せず）がＯＦＦしていても、受信機１の充電回路３４からの直流電圧＋が、接触端子Ｔ１、接触端子Ｔ１′及びダイオード４５を介して送信機２の周波数制御・通信回路４３（チャンネルデータ受信・設定回路２１）に与えられ、動作を開始する。
すなわち、受信機１の周波数制御・通信回路３３（受信チャンネルデータ送信回路１１）との間で以下の通信を行う。
【００２２】
まず、送信機２側の周波数制御・通信回路４３（端子Ｔ５′）から同期信号ＣＬＫが、受信機１側の端子Ｔ５（周波数制御・通信回路３３）に送信される。
次に、受信機１側の周波数制御・通信回路３３（以下、単に受信機１と記す。
）が、送信機２側の周波数制御・通信回路４３（以下、単に送信機２と記す。）にデータレディ信号を送信し、送信機１を受信チャンネルデータの受信待機状態とする。受信機１は、自身に設定されている受信チャンネルを読み込むと、受信待機状態からデータ送信状態として受信チャンネルデータを送信機２に送信する。
送信機２は上記受信チャンネルデータを受信後、そのデータが正常かどうかの判断をし、正常であればそのチャンネルを自身の送信チャンネルとして送信回路４２に設定すると共に、設定終了信号を受信機１に送信する。送信機２からの受信チャンネルデータが異常と判断されたときは、その旨を送信機２に送信し、上記の手順を繰り返す。
上記受信機２及び送信機１相互間における通信（要求、応答、受信チャンネルデータ伝送等）は、端子Ｔ３，Ｔ４及び端子Ｔ３′，Ｔ４′により行われる。
以上により、送信機２のチャンネル（送信チャンネル）が受信機１のチャンネル（受信チャンネル）に合わされる。この際、人為的な作業は、送信機２を充電用アダプタ４に載置するだけである。
【００２３】
【発明の効果】
請求項１に記載の発明によれば、人為的な作業は、送信機（チャンネルデータ受信・設定回路）を受信機（受信チャンネルデータ送信回路）に接続するだけ、つまり、チャンネル切換スイッチをどこに合わせるかということではなく、接続を行うか否かだけであり、適宜の接続手段を用いることにより、誰でも極めて簡単に、送信機チャンネル合わせを行うことができる。
請求項２に記載の発明によれば、送信機を充電用アダプタに載せて、あるいは挿着しておくだけ、つまり充電中に、充電が済んでいる場合には充電用アダプタに載せる、あるいは挿着するだけで、送信機チャンネル合わせができる。
請求項３に記載の発明によれば、送信機の電源ＯＦＦ時でも送信機チャンネル合わせを行うことができる。
【図面の簡単な説明】
【図１】本発明によるワイヤレスマイクロホン・システムの一実施形態の概略説明図である。
【図２】図１に示した本発明システムの一例を示すブロック図である。
【符号の説明】
１  受信機
１１  受信チャンネルデータ送信回路
２  送信機
２１  チャンネルデータ受信・設定回路
４  充電用アダプタ
【図１】
2004207866.tif 000003
【図２】
2004207866.tif 000004